(57)【要約】【課題】端末装置本体の組立時における作業手順と関係なくコネクタキャップを取り付けることができ、且つ取付後は外れにくくその紛失を防止し得るコネクタのキャップ構造及びこれを用いた端末装置を提供する。【解決手段】コネクタキャップ５の舌片４に屈曲凸部７と係止開口部８とを備えると共に、舌片４が挿入される端末装置本体１内における前記屈曲凸部７と対向する一方の面９及び該一方の面９に対向する他方の面１０にそれぞれ抜止用突出部１１，１２を備え、各抜止用突出部１１，１２は、コネクタキャップ５を端末装置本体１から引き出して前記一方の抜止用突出部１１に屈曲凸部７が係止されたときに、他方の抜止用突出部１２に係止開口部８の端縁が係止されるよう配置され、且つ各抜止用突出部１１，１２のコネクタユニット用開口２側の面がそれぞれ傾斜面１１ａ，１２ａとなるようにする。【選択図】図７
2005294936.tif 000002
【特許請求の範囲】
【請求項１】
端末装置本体と、該端末装置本体に形成されたコネクタユニット用開口を開閉可能なキャップ本体、及び該キャップ本体と一体に形成され且つ前記端末装置本体内に出し入れ可能に挿入される舌片を備えてなる弾性部材で構成されたコネクタキャップとからなるコネクタのキャップ構造において、
前記コネクタキャップの舌片には屈曲凸部と係止開口部とを備えると共に、前記舌片が挿入される端末装置本体内における前記屈曲凸部と対向する一方の面及び該一方の面に対向する他方の面にはそれぞれ抜止用突出部を備え、該各抜止用突出部は、前記コネクタキャップを端末装置本体から引き出して前記一方の抜止用突出部に前記屈曲凸部が係止されたときに、前記他方の抜止用突出部に前記係止開口部の端縁が係止されるよう配置され、且つ前記各抜止用突出部のコネクタユニット用開口側の面がそれぞれ曲面又は傾斜面であることを特徴とするコネクタのキャップ構造。
【請求項２】
コネクタキャップの舌片の係止開口部を構成する両側の枠部分に、コネクタキャップを構成する弾性部材より変形しにくい材質を配置したことを特徴とする請求項１記載のコネクタのキャップ構造。
【請求項３】
舌片が挿入される端末装置本体内における屈曲凸部に対向する一方の面を端末装置本体の内壁とし、前記一方の面に対向する他方の面をコネクタユニットの表面とした請求項１又は２記載のコネクタのキャップ構造。
【請求項４】
請求項１〜３いずれか一つに記載のコネクタのキャップ構造を備えたことを特徴とする端末装置。 
【発明の詳細な説明】
【技術分野】
【０００１】
本発明は、端末装置本体に設けられたコネクタのキャップ構造及びこれを用いた携帯電話機やＰＨＳ等の移動通信機といった端末装置に関するものである。
【背景技術】
【０００２】
近年、携帯電話機やＰＨＳ等の移動通信機といった端末装置は、単に通話を行うだけではなく、情報端末の通信手段として利用されるようになっており、このような、端末装置では、その端末装置本体の底面又は側面等に形成されたコネクタユニット用開口の内側に、例えば他の情報端末と接続されるコネクタユニットが配設され、該コネクタユニットを介して他の情報端末と電子情報等の授受が行われるが、このようなコネクタユニット用開口には、コネクタユニットを保護するためのコネクタキャップが取り付けられ、コネクタユニットを使用しない場合には、コネクタユニット用開口をコネクタキャップで閉止することにより、コネクタユニットを外部に露出させないようになっている。
【０００３】
従来、前述の如き端末装置のコネクタのキャップ構造としていろいろな構造が提案されているが、組立時における作業性を考慮したものとしては、例えば、特許文献１に開示されたようなものがある。
【０００４】
特許文献１に開示されたコネクタのキャップ構造は、図８に示される如く、端末装置本体１と、該端末装置本体１に形成されたコネクタユニット用開口２を開閉可能なキャップ本体３、及び該キャップ本体３と一体に形成され且つ前記端末装置本体１内に出し入れ可能に挿入される舌片４を備えてなる弾性部材で構成されたコネクタキャップ５とからなっている。
【０００５】
前記コネクタキャップ５の舌片４は、平面形状が先端の欠けた矢印状に形成され、その先端部における幅方向両側には、キャップ本体３から離反する方向へ向って先細りとなる傾斜辺部４ａと、該傾斜辺部４ａのキャップ本体３側端部から舌片４の幅方向中心側へ向うように切り欠かれた円弧状切欠部４ｂとが形成され、これにより、前記傾斜辺部４ａのキャップ本体３側端部には、前記円弧状切欠部４ｂと連なる抜止部４ｃが設けられており、該抜止部４ｃが端末装置本体１内に設けられたストッパ（図示せず）に係止されるようになっている。
【０００６】
即ち、特許文献１に開示されたコネクタのキャップ構造においては、端末装置本体１を組み立てた後、該端末装置本体１にコネクタキャップ５を取り付ける際には、図８に示される状態から、前記コネクタキャップ５の舌片４をコネクタユニット用開口２から挿入すると、該舌片４の抜止部４ｃが弾性変形しつつ前記ストッパを乗り越えて端末装置本体１内に収まることにより、コネクタキャップ５の端末装置本体１に対する取付が完了する。
【０００７】
前記コネクタキャップ５の端末装置本体１に対する取付を完了した後、コネクタユニット用開口２をコネクタキャップ５で閉止した状態から、コネクタユニット６を使用するために、コネクタキャップ５を開けてその舌片４の部分を端末装置本体１内から引き出した場合、キャップ本体３が所定の距離だけ引き出されると、前記抜止部４ｃが端末装置本体１内に設けられた前記ストッパに係止され、コネクタキャップ５は端末装置本体１から外れずに保持される形となる。
【０００８】
このように、特許文献１に開示されたコネクタのキャップ構造の場合、前記端末装置本体１を組み立てた後でもコネクタキャップ５の取り付けができるため、作業性の面で非常に優れているといった利点がある。
【０００９】
尚、図８中、６は前記端末装置本体１のコネクタユニット用開口２の内側に配設されたコネクタユニットである。
【特許文献１】特開２００３−１２５０４６号公報
【発明の開示】
【発明が解決しようとする課題】
【００１０】
しかしながら、図８に示されるようなコネクタのキャップ構造においては、抜止部４ｃの部分だけが端末装置本体１内に設けられたストッパに係止される形となっているため、ユーザーがコネクタキャップ５を摘んで引っ張った場合、前記抜止部４ｃの部分が撓んでストッパから離脱し、コネクタキャップ５が端末装置本体１から外れやすく紛失してしまう虞があるという欠点を有していた。
【００１１】
本発明は、斯かる実情に鑑み、端末装置本体の組立時における作業手順と関係なくコネクタキャップを取り付けることができ、且つ取付後は外れにくくその紛失を防止し得るコネクタのキャップ構造及びこれを用いた端末装置を提供しようとするものである。
【課題を解決するための手段】
【００１２】
本発明は、端末装置本体と、該端末装置本体に形成されたコネクタユニット用開口を開閉可能なキャップ本体、及び該キャップ本体と一体に形成され且つ前記端末装置本体内に出し入れ可能に挿入される舌片を備えてなる弾性部材で構成されたコネクタキャップとからなるコネクタのキャップ構造において、
前記コネクタキャップの舌片には屈曲凸部と係止開口部とを備えると共に、前記舌片が挿入される端末装置本体内における前記屈曲凸部と対向する一方の面及び該一方の面に対向する他方の面にはそれぞれ抜止用突出部を備え、該各抜止用突出部は、前記コネクタキャップを端末装置本体から引き出して前記一方の抜止用突出部に前記屈曲凸部が係止されたときに、前記他方の抜止用突出部に前記係止開口部の端縁が係止されるよう配置され、且つ前記各抜止用突出部のコネクタユニット用開口側の面がそれぞれ曲面又は傾斜面であることを特徴とするコネクタのキャップ構造にかかるものである。
【００１３】
上記手段によれば、以下のような作用が得られる。
【００１４】
端末装置本体を組み立てた後、該端末装置本体にコネクタキャップを取り付ける際には、コネクタキャップの舌片をコネクタユニット用開口から挿入すると、各抜止用突出部のコネクタユニット用開口側の面はそれぞれ曲面又は傾斜面となるようにしてあり、更に前記コネクタキャップは弾性部材で形成されているため、屈曲凸部は弾性変形しつつ比較的容易に前記各抜止用突出部を乗り越える形となり、コネクタキャップを端末装置本体に対して取り付けることが可能となる。
【００１５】
前記コネクタキャップの端末装置本体に対する取付を完了した後、コネクタユニット用開口をコネクタキャップで閉止した状態から、コネクタユニットを使用するために、コネクタキャップを開けてその舌片の部分を端末装置本体内から引き出した場合、一方の抜止用突出部に屈曲凸部が係止されると共に、他方の抜止用突出部に係止開口部の端縁が係止され、二重にロックされる形となるため、ユーザーがコネクタキャップを摘んで引っ張ったとしても、該コネクタキャップは端末装置本体から外れにくくなり、紛失してしまう心配もなくなる。
【００１６】
前記コネクタのキャップ構造においては、コネクタキャップの舌片の係止開口部を構成する両側の枠部分に、コネクタキャップを構成する弾性部材より変形しにくい材質を配置することが好ましく、このようにすると、前記コネクタキャップの舌片の係止開口部を構成する両側の枠部分における剛性が高められるため、前記コネクタキャップの端末装置本体に対する取付時に舌片を挿入する際、該舌片は変形しにくくなり、その挿入作業が容易且つ確実に行えることとなる。
【００１７】
又、前記コネクタのキャップ構造においては、舌片が挿入される端末装置本体内における屈曲凸部に対向する一方の面を端末装置本体の内壁とし、前記一方の面に対向する他方の面をコネクタユニットの表面とすることが有効となり、このようにすると、端末装置本体内部に前記舌片が挿入される専用の壁で仕切られた空間を形成してそこに抜止用突出部を突設させるのに比べ、端末装置本体の厚みを薄くすることにもつながる。
【００１８】
更に又、本発明は、前述のいずれか一つに記載のコネクタのキャップ構造を備えたことを特徴とする端末装置にかかるものである。
【発明の効果】
【００１９】
本発明のコネクタのキャップ構造及びこれを用いた端末装置によれば、端末装置本体の組立時における作業手順と関係なくコネクタキャップを取り付けることができ、且つ取付後は外れにくくその紛失を防止し得るという優れた効果を奏し得る。
【発明を実施するための最良の形態】
【００２０】
以下、本発明の実施の形態を添付図面を参照して説明する。
【００２１】
図１〜図７は本発明を実施する形態の一例であって、図中、図８と同一の符号を付した部分は同一物を表わしており、コネクタキャップ５の舌片４に屈曲凸部７と係止開口部８とを備えると共に、前記舌片４が挿入される端末装置本体１内における前記屈曲凸部７と対向する一方の面９及び該一方の面９に対向する他方の面１０にそれぞれ抜止用突出部１１，１２を備え、該各抜止用突出部１１，１２は、前記コネクタキャップ５を端末装置本体１から引き出して前記一方の抜止用突出部１１に前記屈曲凸部７が係止されたときに、前記他方の抜止用突出部１２に前記係止開口部８の端縁が係止されるよう配置され、且つ前記各抜止用突出部１１，１２のコネクタユニット用開口２側の面が傾斜面１１ａ，１２ａとなるようにしたものである。
【００２２】
前記コネクタキャップ５のキャップ本体３は、端末装置本体１のコネクタユニット用開口２と同形の略矩形板状をなし、コネクタユニット６の閉塞時にはキャップ本体３がコネクタユニット用開口２に嵌合するようになっている。
【００２３】
前記舌片４は、キャップ本体３の一方の長辺中央付近より突出するように設けられており、その先端に前記屈曲凸部７を有すると共に、この屈曲凸部７とキャップ本体３との間に係止開口部８を形成してある。
【００２４】
前記屈曲凸部７は、舌片４の先端側からキャップ本体３側へ向けて緩い傾斜角度で突出してその断面形状が傾斜面７ａと舌片４に垂直な平面７ｂとからなる「∠」形状となるようにしてある。
【００２５】
前記係止開口部８はその正面から見た形状が長方形をなしコネクタキャップ５を端末装置本体１に取り付けたとき抜止用突出部１２が係止開口部８内に配されるようになっている。
【００２６】
前記コネクタキャップ５の材質としては、例えば、常温でゴム状の弾性を有する高分子物質であるエラストマやポリプロピレン樹脂等の弾性部材が用いられているが、前記コネクタキャップ５の舌片４の係止開口部８を構成する両側の枠部分（図４の斜線部Ａ参照）には、コネクタキャップ５を構成するエラストマ等の弾性部材より変形しにくい材質、例えば、ＡＢＳ樹脂（Acrylonitrile Butadiene Styrene Resin：アクリロニトリル・ブタジエン・スチレン樹脂）やポリプロピレン樹脂、或いは金属等を成形時に予め組み込むように配置し、前記コネクタキャップ５の舌片４の係止開口部８を構成する両側の枠部分における剛性を高め、前記コネクタキャップ５の端末装置本体１に対する取付時に舌片４を挿入する際、該舌片４が変形しにくくなるようにしてある。
【００２７】
尚、図６及び図７に示す端末装置では、前記舌片４が挿入される端末装置本体１内における屈曲凸部７に対向する一方の面９を端末装置本体１の内壁とし、前記一方の面９に対向する他方の面１０をコネクタユニット６の表面としてあり、このように舌片４が挿入される孔を端末装置本体１の内壁とコネクタユニット６の表面とで形成することにより、端末装置本体１の厚み幅を小さくできる点で利点がある。但し、端末装置本体１の厚み幅をそれ程小さくする必要がない場合には、コネクタユニット６の上部に前記舌片４が挿入される専用の壁を設け、この専用壁と前記端末装置本体１の内壁とで前記舌片４が挿入される孔を形成しても構わない。
【００２８】
前記抜止用突出部１１は、一方の面９より突出して設けられ、コネクタユニット用開口２側の面を傾斜面１１ａとすると共に、コネクタユニット用開口２と反対側の面を一方の面９に垂直な平面１１ｂとし、その先端が先細り状となるように形成してある。
【００２９】
又、前記抜止用突出部１２は、抜止用突出部１１と同様に他方の面１０（コネクタユニット６の表面）より突出して設けられ、コネクタユニット用開口２側の面を傾斜面１２ａとすると共に、コネクタユニット用開口２と反対側の面を他方の面１０に垂直な平面１２ｂとし、その先端が先細り状となるように形成してある。
【００３０】
次に、上記図示例の作用を説明する。
【００３１】
端末装置本体１を組み立てた後、該端末装置本体１にコネクタキャップ５を取り付ける際には、先ず、図５に示す状態から、図６（ａ），（ｂ）に示す如く、前記コネクタキャップ５の舌片４をコネクタユニット用開口２から挿入すると、屈曲凸部７の傾斜面７ａと一方の面９に形成された抜止用突出部１１の傾斜面１１ａとが干渉し且つ屈曲凸部７の凹んでいる裏面側と他方の面１０に形成された抜止用突出部１２とが干渉するが、前記屈曲凸部７は舌片４の先端側からキャップ本体３側へ向け緩い傾斜角度で突出してその断面形状が「∠」形状となるようにしてあると共に、前記各抜止用突出部１１，１２のコネクタユニット用開口２側の面はそれぞれ傾斜面１１ａ，１２ａとなるようにしてあり、更に前記コネクタキャップ５はエラストマ等の弾性部材で形成されているため、屈曲凸部７は弾性変形しつつ比較的容易に前記各抜止用突出部１１，１２を乗り越える形となり、しかも、前記コネクタキャップ５の舌片４の係止開口部８を構成する両側の枠部分（図４の斜線部Ａ参照）には、コネクタキャップ５を構成するエラストマ等の弾性部材より変形しにくい材質を成形時に予め組み込むように配置し、前記コネクタキャップ５の舌片４の係止開口部８を構成する両側の枠部分における剛性を高めるようにしてあるため、前記コネクタキャップ５の端末装置本体１に対する取付時に舌片４を挿入する際、該舌片４は変形しにくくなり、その挿入作業が容易且つ確実に行えることとなる。
【００３２】
そして、コネクタキャップ５の屈曲凸部７が抜止用突出部１１を乗り越えると共に、抜止用突出部１２がコネクタキャップ５の係止開口部８内に配置されることにより、コネクタキャップ５の端末装置本体１に対する取付が完了する。
【００３３】
前記コネクタキャップ５の端末装置本体１に対する取付を完了した後、コネクタユニット用開口２をコネクタキャップ５で閉止した状態から、コネクタユニット６を使用するために、コネクタキャップ５を開けてその舌片４の部分を端末装置本体１内から引き出した場合、キャップ本体３が所定の距離だけ引き出されると、図７（ａ），（ｂ）に示す如く、一方の抜止用突出部１１の平面１１ｂに屈曲凸部７の平面７ｂが係止されると共に、他方の抜止用突出部１２の平面１２ｂに係止開口部８の端面が当接して係止され、二重にロックされる形となるため、ユーザーが所定の距離より更にコネクタキャップ５を摘んで引っ張ったとしても、該コネクタキャップ５は端末装置本体１から外れることがなく、紛失してしまう心配がなくなる。
【００３４】
このように、本発明のコネクタのキャップ構造を用いれば、端末装置本体１の組立時における作業手順と関係なくコネクタキャップ５を取り付けることができ、且つ取付後は外れにくくその紛失を防止し得る。そのため、本発明の端末装置によれば、組立作業性を向上させることができると共に、コネクタキャップ５の紛失の虞のない端末装置を提供することができる。
【００３５】
尚、本発明のコネクタのキャップ構造及びこれを用いた端末装置は、上述の図示例にのみ限定されるものではなく、例えば、本実施形態では抜止用突出部１１，１２のコネクタユニット用開口２側の面を傾斜面１１ａ，１２ａとしたが、曲面等のように舌片４の挿入を可能とする形状であれば良い。このように、本発明の要旨を逸脱しない範囲内において種々変更を加え得ることができることは言うまでもない。
【図面の簡単な説明】
【００３６】
【図１】本発明を実施する形態の一例におけるコネクタキャップ単体を示す正面図である。
【図２】本発明を実施する形態の一例におけるコネクタキャップ単体を示す側面図である。
【図３】本発明を実施する形態の一例におけるコネクタキャップ単体を示す斜視図である。
【図４】本発明を実施する形態の一例におけるコネクタキャップ単体を図３とは別角度から示す斜視図である。
【図５】本発明を実施する形態の一例におけるコネクタキャップを端末装置本体に取り付ける際の状態を該端末装置本体背面側から示す斜視図である。
【図６】本発明を実施する形態の一例におけるコネクタキャップを端末装置本体に取り付ける際に、該コネクタキャップの舌片を端末装置本体内へ挿入した状態を示す図であって、（ａ）は正面図、（ｂ）は図６（ａ）のＶＩｂ−ＶＩｂ断面図である。
【図７】本発明を実施する形態の一例におけるコネクタキャップを端末装置本体に取り付けた後、該コネクタキャップを開けてその舌片の部分を端末装置本体内から引き出した状態を示す図であって、（ａ）は正面図、（ｂ）は図７（ａ）のＶＩＩｂ−ＶＩＩｂ断面図である。
【図８】従来例におけるコネクタキャップを端末装置本体に取り付ける際の状態を示す斜視図である。
【符号の説明】
【００３７】
１  端末装置本体
２  コネクタユニット用開口
３  キャップ本体
４  舌片
５  コネクタキャップ
６  コネクタユニット
７  屈曲凸部
８  係止開口部
９  一方の面
１０  他方の面
１１  抜止用突出部
１２  抜止用突出部
【図１】
2005294936.tif 000003
【図２】
2005294936.tif 000004
【図３】
2005294936.tif 000005
【図４】
2005294936.tif 000006
【図５】
2005294936.tif 000007
【図６】
2005294936.tif 000008
【図７】
2005294936.tif 000009
【図８】
2005294936.tif 000010